(57)【要約】【課題】飛沫等が内部に侵入することを防止又は抑制できる脱臭装置を提供すること。【解決手段】脱臭装置として機能する局部洗浄装置３は、便器本体２が有する便鉢４の後部に設けられ、便鉢４に臨む開口部９を有するケース７と、風が吹き出される吹出口２８を有し、吹出口２８が開口部９からケース７の外側に臨む送風ダクト２４と、開口部９を開閉し、開口部９を閉じた状態においてケース７との間に送風口３８を形成するシャッター１０と、を備え、シャッター１０が開口部９を閉じた状態において送風口３８から便鉢４内に向かう第１方向に風を導く一方で、シャッター１０が開口部９を開いた状態において第１方向とは異なる方向に風を導く。【選択図】図４Ａ
2018087451.tif 000002
【特許請求の範囲】
【請求項１】
便器本体が有する便鉢の後部に設けられ、前記便鉢に臨む開口部を有するケースと、
風が吹き出される吹出口を有し、前記吹出口が前記開口部から前記ケースの外側に臨む送風ダクトと、
前記開口部を開閉し、前記開口部を閉じた状態において前記開口部の縁との間に送風口を形成するシャッターと、を備え、
前記シャッターが前記開口部を閉じた状態において前記送風口から前記便鉢内に向かう第１方向に前記風を導く一方で、前記シャッターが前記開口部を開いた状態において前記第１方向とは異なる方向に前記風を導く脱臭装置。
【請求項２】
前記第１方向は、前記便鉢の内面に沿う方向である請求項１に記載の脱臭装置。
【請求項３】
前記ケースは、前記開口部の縁に沿って設けられ、前記シャッターが前記開口部を閉じた状態において前記送風口から前記第１方向に前記風を導くリブを有する請求項１又は２に記載の脱臭装置。
【請求項４】
前記リブは、前記開口部の縁に沿って湾曲している請求項３に記載の脱臭装置。
【請求項５】
前記リブの先端部は、前記開口部の下方に設けられ、前記便器本体の側面視で下方ほど前記便鉢の後方に傾斜している請求項３又は４に記載の脱臭装置。
【請求項６】
前記シャッターが前記開口部を閉じた状態において前記吹出口から前記送風口に前記風を導く遮蔽部を備える請求項１〜５のいずれかに記載の脱臭装置。
【請求項７】
前記送風ダクト内に設けられた第１送風機と、
前記便鉢内の空気が吸い込まれる吸込口を有し、前記吸込口から吸い込んだ前記便鉢内の空気を脱臭して前記便鉢の外部に導く脱臭ダクトと、
前記脱臭ダクト内に設けられた第２送風機と、
前記第１送風機及び前記第２送風機の駆動を制御する制御部と、をさらに備え、
前記制御部は、前記シャッターが前記開口部を閉じた状態において前記第１送風機の出力よりも前記第２送風機の出力を大きくする請求項１〜６のいずれかに記載の脱臭装置。
【発明の詳細な説明】
【技術分野】
【０００１】
本発明は、大便器用の脱臭装置に関する。
【背景技術】
【０００２】
従来、大便器用の脱臭装置では、上下に回動するシャッターの内側に、風を吹き出す吹出口が設けられている（例えば、特許文献１参照）。このような脱臭装置では、脱臭時に、シャッターを上方に回動させて下側から開く下開き状態にし、吹出口から吹き出される風を便鉢の内面に導く一方で、肛門の乾燥時に、シャッターを下方に回動させて上側から開く上開き状態にし、吹出口から吹き出される風を肛門に導く。
【先行技術文献】
【特許文献】
【０００３】
【特許文献１】特開２０１５−２０６１８４号公報
【発明の概要】
【発明が解決しようとする課題】
【０００４】
このような脱臭装置では、シャッターの動作を減らすことで、飛沫等が内部に侵入することを防止又は抑制することが求められる。
【０００５】
本発明は上記に鑑みてなされたものであり、その目的は、飛沫等が内部に侵入することを防止又は抑制できる脱臭装置を提供することにある。
【課題を解決するための手段】
【０００６】
上記目的を達成するため本発明は、便器本体（例えば、後述する便器本体２）が有する便鉢（例えば、後述する便鉢４）の後部に設けられ、前記便鉢に臨む開口部（例えば、後述する開口部９）を有するケース（例えば、後述するケース７）と、風が吹き出される吹出口（例えば、後述する吹出口２８）を有し、前記吹出口が前記開口部から前記ケースの外側に臨む送風ダクト（例えば、後述する送風ダクト２４）と、前記開口部を開閉し、前記開口部を閉じた状態において前記開口部の縁との間に送風口（例えば、後述する送風口３８）を形成するシャッター（例えば、後述するシャッター１０）と、を備え、前記シャッターは、前記開口部を閉じた状態において前記送風口から前記便鉢内に向かう第１方向に前記風を導く一方で、前記開口部を開いた状態において前記第１方向とは異なる方向に前記風を導くことを特徴とする脱臭装置（局部洗浄装置３）を提供する。
【０００７】
前記第１方向は、前記便鉢の内面に沿う方向であることが好ましい。
【０００８】
前記ケースは、前記開口部の縁に沿って設けられ、前記シャッターが前記開口部を閉じた状態において前記送風口から前記第１方向に前記風を導くリブ（例えば、後述するリブ３７）を有することが好ましい。
【０００９】
前記リブは、前記開口部の縁に沿って湾曲していることが好ましい。
【００１０】
前記リブの先端部は、前記開口部の下方に設けられ、前記便器本体の側面視で下方ほど前記便鉢の後方に傾斜していることが好ましい。
【００１１】
前記シャッターが前記開口部を閉じた状態において前記吹出口から前記送風口に前記風を導く遮蔽部（例えば、後述する遮蔽板３６）を備えることが好ましい。
【００１２】
前記送風ダクト内に設けられた第１送風機（例えば、後述の第１送風機２５）と、前記便鉢内の空気が吸い込まれる吸込口（例えば、後述の吸込口３２）を有し、前記吸込口から吸い込んだ前記便鉢内の空気を脱臭して前記便鉢の外部に導く脱臭ダクト（例えば、後述の脱臭ダクト２９）と、前記脱臭ダクト内に設けられた第２送風機（例えば、後述の第２送風機３０）と、前記第１送風機及び前記第２送風機の駆動を制御する制御部（例えば、後述の制御基板１６）と、をさらに備え、前記制御部は、前記シャッターが前記開口部を閉じた状態において前記第１送風機の出力よりも前記第２送風機の出力を大きくすることが好ましい。
【発明の効果】
【００１３】
本発明によれば、シャッターによって開閉される開口部を閉じた状態において、シャッターと開口部の縁との間に形成される送風口から、風を導くことができるため、飛沫等が内部に侵入することを防止又は抑制可能な脱臭装置を提供できる。
【図面の簡単な説明】
【００１４】
【図１】本発明の一実施形態に係る局部洗浄装置を備える大便器をその前方斜め上方から視た斜視図である。
【図２】便座、便蓋、及び局部洗浄装置のカバーを取り外し、シャッターを閉じた状態の上記実施形態に係る大便器の上面図である。
【図３Ａ】シャッターを取り外し、第２のシャッターを閉じた状態の開口部及びその周辺部分を示す正面図である。
【図３Ｂ】シャッターを取り外し、第２のシャッターを開いた状態の開口部及びその周辺部分を示す正面図である。
【図４Ａ】閉じた状態のシャッター及びその周辺部分を示す正面図である。
【図４Ｂ】閉じた状態のシャッター及びその周辺部分を示す側面図である。
【図４Ｃ】図４Ａにおける矢印ＩＶＣ−ＩＶＣの方向に視たシャッター及びその周辺部分の断面図である。
【図５Ａ】下開き状態のシャッター及びその周辺部分の断面図である。
【図５Ｂ】上開き状態のシャッター及びその周辺部分の断面図である。
【発明を実施するための形態】
【００１５】
以下、本発明の一実施形態について、図面を参照して詳細に説明する。なお、以下の説明において、便宜上、左右方向は便座に着座する大便器の利用者から見た左右方向を意味する。
【００１６】
まず、図１及び図２を用いて、大便器１について説明する。図１は、本発明の実施形態に係る局部洗浄装置３を備える大便器１をその前方斜め上方から視た斜視図である。図２は、便座５、便蓋６、及び局部洗浄装置３のカバー１１を取り外し、シャッター１０を閉じた状態の大便器１の上面図である。
【００１７】
図１及び図２に示す大便器１は、水洗式の大便器であり、便器本体２と、局部洗浄装置３と、等を備える。また、大便器１は、洗浄水を貯留するタンク１００と、洗浄水を供給するポンプ、弁及び配管と、等を備えるが、これらの説明については省略する。
【００１８】
便器本体２は、汚物を受ける便鉢４と、この便鉢４の底部から下方に延びる排水管（図示省略）と、便鉢４に対して開閉する便座５及び便蓋６と、を含んで構成される。便鉢４の上部には、その周縁に沿って洗浄水の旋回流を生成するリム流水路（図示省略）と、その旋回流を排水管に向けて落し込む流れを生成する落し込み流路（図示省略）と、が形成されている。
【００１９】
局部洗浄装置３は、便鉢４の後部に設けられる。この局部洗浄装置３は、局部洗浄や温風乾燥等のための各種機能部品を収容するケース７を備える。ケース７は、便鉢４の上端周縁に設置されるベース８と、このベース８の前面中央に形成された横長の開口部９を開閉するシャッター１０と、ベース８に組み付けられるカバー１１と、を有する。シャッター１０及びその周辺部分についての詳細は後述する。カバー１１には、便座５及び便蓋６がそれぞれ回動可能に取り付けられている。
【００２０】
このような局部洗浄装置３は、洗浄水を吐出するノズルユニット１２と、このノズルユニット１２に温水を供給する温水供給ユニット１３と、風を送り出す送風ユニット１４と、汚物から発生する臭気を除去する脱臭ユニット１５と、これら各ユニット１２〜１５の駆動を司る制御基板１６と、この制御基板１６及び各種機能部品に電力を供給する電源基板１７と、等を備える。この局部洗浄装置３は、脱臭ユニット１５を中心に、脱臭装置として機能する。
【００２１】
ノズルユニット１２は、ベース８の中央に配置されている。このノズルユニット１２は、肛門洗浄用の洗浄ノズル１８と、この洗浄ノズル１８を駆動させるノズル駆動機構１９と、洗浄ノズル１８と共に左右に並んでツインノズルを構成するビデ用の洗浄ノズル２０と、この洗浄ノズル２０を駆動させるノズル駆動機構２１と、を有する。
【００２２】
左右一対の洗浄ノズル１８，２０は、互いに平行で前方に向かって下方に傾斜するように、ベース８に対して進退可能に支持される。これら洗浄ノズル１８，２０は、不使用時に、開口部９を閉じた状態のシャッター１０の内側に収容されている。
【００２３】
肛門洗浄用の洗浄ノズル１８は、ノズル駆動機構１９によって斜め下方に進出することで、その先端が、シャッター１０の内面の突起（図示省略）を介してシャッター１０の内面下側を押すことになり、開口部９を閉じる方向に付勢されているシャッター１０を、上方に回動させながら開いて開口部９の前方に突出する。この時、洗浄ノズル１８に押し開かれたシャッター１０は、開口部９を閉じる方向の付勢力に抗して、開口部９の下側から開く下開き状態になる（図５Ａ参照）。
【００２４】
ビデ用の洗浄ノズル２０は、ノズル駆動機構２１によって斜め下方に進出することで、その先端が、シャッター１０の内面の突起（図示省略）を介してシャッター１０の内面上側を押すことになり、開口部９を閉じる方向に付勢されているシャッター１０を、下方に回動させながら開いて開口部９の前方に突出する。この時、洗浄ノズル２０に押し開かれたシャッター１０は、開口部９を閉じる方向の付勢力に抗して、開口部９の上側から開く上開き状態になる（図５Ｂ参照）。
【００２５】
これら洗浄ノズル１８，２０は、それぞれ、下方に位置する先端部に、温水供給ユニット１３によって供給された洗浄水を吐出する吐出孔２２を有する。
【００２６】
温水供給ユニット１３は、ベース８の右側に配置されている。この温水供給ユニット１３は、個別の配管を介して各洗浄ノズル１８，２０に接続されており、設定温度に調温された温水を、洗浄水として各洗浄ノズル１８，２０へ供給する。
【００２７】
送風ユニット１４は、ベース８の右側に配置されている。この送風ユニット１４は、外気を開口部９に導く送風ダクト２４と、この送風ダクト２４内に設けられた第１送風機２５と、送風ダクト２４内における第１送風機２５の下流側に設けられたヒーター２６及びイオン発生装置２７と、を備える。
【００２８】
送風ダクト２４は、外気の取込口（図示省略）を上流端に有すると共に、開口部９からケース７の外側に臨む吹出口２８を下流端に有する。この送風ダクト２４は、第１送風機２５の駆動によって、取込口から外気を取り込んで吹出口２８から風を吹き出す。第１送風機２５は、送風ダクト２４内に、取込口から吹出口２８への気流を発生させる。ヒーター２６は、送風ダクト２４に取り込まれた空気を温める。イオン発生装置２７は、送風ダクト２４に取り込まれた空気を電離させてプラスイオンとマイナスイオンを生じさせる。
【００２９】
このような送風ユニット１４は、第１送風機２５と共にヒーター２６を駆動させることで、吹出口２８から温風を吹き出す。また、送風ユニット１４は、第１送風機２５と共にイオン発生装置２７を駆動させることで、吹出口２８からプラスイオンとマイナスイオンを含む風を吹き出し、これらのイオンによって浮遊菌を不活化する。これにより、浮遊菌の繁殖を抑制し又は除菌する。
【００３０】
脱臭ユニット１５は、ベース８の左側に配置されている。この脱臭ユニット１５は、便鉢４内の空気を便鉢４の外部に導く脱臭ダクト２９と、この脱臭ダクト２９内に設けられた第２送風機３０と、脱臭ダクト２９内における第２送風機３０の下流側に設けられた脱臭カートリッジ３１と、を備える。
【００３１】
脱臭ダクト２９は、ベース８の前方中央寄りに形成された吸込口３２を上流端に有すると共に、ベース８の左側に形成された吹出口３３を下流端に有する。その脱臭ダクト２９は、第２送風機３０の駆動によって、吸込口３２から便鉢４内の空気を吸い込んで吹出口３３から風を吹き出す。即ち、本実施形態の脱臭ユニット１５は、非循環式（ワンパス式）の脱臭装置である。第２送風機３０は、脱臭ダクト２９内に、吸込口３２から吹出口３３への気流を発生させる。脱臭カートリッジ３１は、脱臭用の触媒を内蔵しており、脱臭ダクト２９に吸い込まれた空気を通過させることで、通過する空気に含まれる臭気を取り除く。
【００３２】
なお、吸込口３２は、ベース８の底面に形成され、下方に向かって開口し、便鉢４内に臨んでいる。即ち、シャッター１０の内部に吸込口が無く、ベース８の底面に吸込口が形成されているため、シャッター１０を閉じた状態であっても、便鉢４内の空気（臭気）を吸込むことができるようになっている。
【００３３】
なお、本実施形態では、脱臭カートリッジ３１として、活性炭等を触媒とする吸着型の脱臭剤を採用するが、光触媒のように紫外線等の光線を照射することによって物質を分解する機能を有する分解型のものを採用してもよい。
【００３４】
次に、図３Ａ〜図５Ｂを用いて、シャッター１０及びその周辺部分の構造について説明する。
ここで、図３Ａは、シャッター１０を取り外し、第２のシャッター３４を閉じた状態の開口部９及びその周辺部分を示す正面図である。図３Ｂは、シャッター１０を取り外し、第２のシャッター３４を開いた状態の開口部９及びその周辺部分を示す正面図である。図４Ａは、閉じた状態のシャッター１０及びその周辺部分を示す正面図である。図４Ｂは、閉じた状態のシャッター１０及びその周辺部分を示す側面図である。図４Ｃは、図４Ａにおける矢印ＩＶＣ−ＩＶＣの方向に視たシャッター１０及びその周辺部分の断面図である。図５Ａは、下開き状態のシャッター１０及びその周辺部分の断面図である。図５Ｂは、上開き状態のシャッター１０及びその周辺部分の断面図である。
【００３５】
上記各図に示すように、局部洗浄装置３は、シャッター１０の内側において送風ダクト２４の吹出口２８を開閉する第２のシャッター３４と、この第２のシャッター３４の内面に設けられたリブ３５と、吹出口２８の縁に沿って設けられた遮蔽板３６と、開口部９の縁に沿って設けられたリブ３７と、を備える。
【００３６】
第２のシャッター３４は、その上端が、吹出口２８の縁に回動可能に支持されており、吹き出す風によって吹出口２８を開く一方で、自重によって吹出口２８を閉じる。この第２のシャッター３４は、シャッター１０が閉じた状態において送風口３８から風を吹き出す際には、吹出口２８を開く。
【００３７】
リブ３５は、第２のシャッター３４が開いた状態において、上方から便鉢４の左右の中心の方向に向けて斜め下方に延びるように、第２のシャッター３４の内面に一体に構成されている。このリブ３５は、第２のシャッター３４が吹出口２８を開いた状態において、吹出口２８から吹き出される風を左右の中心の方向に導く。
【００３８】
遮蔽板３６は、吹出口２８の左側に、吹出口２８の縁に沿って設けられている。この遮蔽板３６は、シャッター１０が開口部９を閉じた状態において、吹出口２８から吹き出された風をシャッター１０と開口部９の縁との間に形成される送風口３８に導く遮蔽部として機能する。
この遮蔽板３６は、シャッター１０内、即ち開口部９の縁より内側において、送風口３８とは反対側に風が流れるのを防止する。遮蔽部としては、この遮蔽板３６に限定されず、その他の部材（例えば、シャッター１０のアーム等）で構成されていてもよい。
【００３９】
リブ３７は、開口部９の下方で且つ吹出口２８の右側から下方にわたって、開口部９の縁に沿って湾曲するように設けられている。このリブ３７は、シャッター１０が開口部９を閉じた状態において、吹出口２８から吹き出された風を、後述するようにシャッター１０と開口部９の縁との間に生じる隙間によって形成される送風口３８から、便鉢４の内面に沿うように便鉢４の内面右側から中央にかけて導入する。より詳しくは、便鉢４の内面右側では吹出口２８と略同一の高さ位置に風が導入され、中央ではそれよりも下側に向けて風が導入される。即ち、便鉢４の内面右側から中央にいくにつれて、風が下側に向かって導入される。
【００４０】
また、図３Ａ中に示すように、送風口３８の左端、即ち開口部９の中央側にはリブ３７が形成されていない領域ＮＡが存在する。この領域ＮＡからも、風が下方に向けて吹き出されて、便鉢４内に導入される。
【００４１】
また、図４Ｂに示すように、リブ３７の先端部は、便器本体２の側面視で、下方ほど便鉢４の後方に傾斜している。即ち、吹出口２８から吹き出された風は、図２中に矢印で示すように、上方から下方に向かって便鉢４の内面に沿うように旋回して流れ、便鉢４内の臭気が便鉢４の外に拡散するのを抑制可能な気流を構成する。
【００４２】
シャッター１０が開口部９を閉じた状態において、開口部９の下方で且つ吹出口２８の右側から下方にわたって、開口部９の縁との間に生じる隙間によって送風口３８が形成される。送風口３８は、正面視及び側面視いずれにおいても吹出口２８が隠れるように形成される。より詳しくは、正面視において送風口３８はシャッター１０により隠蔽され、側面視において送風口３８はリブ３７により隠蔽される。また、送風口３８の下側はリブ３７により隠蔽される。これにより、送風口３８から飛沫が侵入するのを抑制できる。
【００４３】
このシャッター１０は、開口部９を閉じた状態において、リブ３７と共に、吹出口２８から吹き出された風を送風口３８から便鉢４の内面に沿うように、便鉢４の内面右側から中央にかけて導く（図４参照）。また、シャッター１０は、下開きの状態において、吹出口２８から吹き出された風を便鉢４の内面下方に広がる方向に導く（図５Ａ参照）と共に、上開きの状態において、吹出口２８から吹き出された風を臀部に向かう方向に導く（図５Ｂ参照）。
【００４４】
次に、局部洗浄装置３の動作モードについて説明する。
【００４５】
局部洗浄装置３は、脱臭モード、お尻洗浄モード、ビデモード、温風乾燥モード、鉢内除菌モード等の各種動作モードで動作する。
【００４６】
脱臭モードは、便鉢４内を脱臭する動作モードである。脱臭モードにおいて局部洗浄装置３は、シャッター１０を閉じた状態にしてから、送風ユニット１４の第１送風機２５を駆動させて、吹出口２８から吹き出される風をシャッター１０の送風口３８から、便鉢４の内面右側から中央にかけて導くと共に、脱臭ユニット１５の第２送風機３０を駆動させて、吸込口３２から便鉢４内の空気を吸い込み脱臭カートリッジ３１で臭気を取り除く。即ち、送風口３８から吹き出された風は、上方から下方に向かって便鉢４の内面に沿うように流れ、便鉢４内を旋回して脱臭ユニット１５の吸込口３２に吸い込まれる。これにより、便鉢４内から上方に向かって拡散する臭気を抑え込みながら、便鉢４内の臭気が脱臭される。なお、脱臭モードにおいて局部洗浄装置３は、送風ユニット１４のヒーター２６及びイオン発生装置２７を駆動させない。
【００４７】
なお、この脱臭モードでは、第１送風機２５の出力よりも第２送風機３０の出力を大きくなるように制御する。従来、送風機が１つの循環式においては送風機の出力を大きくして便鉢内の気流を強くする必要があったところ、本実施形態のようなワンパス式であれば、第１送風機２５の出力が小さい、即ち便鉢４内に流れる風を強くしなくても、第２送風機３０の出力を大きくすることで効率良く便鉢４内の臭気が吸い込まれる。これにより、使用者が便鉢４内の風を認識し難くなる一方で、高い脱臭性能が確保されている。
【００４８】
お尻洗浄モードは、肛門を洗浄する動作モードである。お尻洗浄モードにおいて局部洗浄装置３は、肛門洗浄用の洗浄ノズル１８を斜め下方に進出させることで、シャッター１０を上方に回動させて下開き状態にする。その後、局部洗浄装置３は、温水供給ユニット１３を駆動させて、洗浄ノズル１８の吐出孔２２から肛門に向けて洗浄水を吐出させると共に、脱臭ユニット１５の第２送風機３０を駆動させて、吸込口３２から便鉢４内の空気を吸い込み脱臭カートリッジ３１で臭気を取り除く。なお、お尻洗浄モードにおいて局部洗浄装置３は、送風ユニット１４を駆動させない。
【００４９】
ビデモードは、女性の局部を洗浄する動作モードである。ビデモードにおいて局部洗浄装置３は、肛門洗浄用の洗浄ノズル１８を斜め下方にわずかに進出させることで、シャッター１０を上方にわずかに回動させてから、ビデ用の洗浄ノズル２０を斜め下方に進出させることで、引き続きシャッター１０を上方に回動させて下開き状態にする。その後、局部洗浄装置３は、温水供給ユニット１３を駆動させて、洗浄ノズル２０の吐出孔２３から女性の局部に向けて洗浄水を吐出させると共に、脱臭ユニット１５の第２送風機３０を駆動させて、吸込口３２から便鉢４内の空気を吸い込み脱臭カートリッジ３１で臭気を取り除く。なお、ビデモードにおいて局部洗浄装置３は、送風ユニット１４を駆動させない。
【００５０】
温風乾燥モードは、臀部を温風で乾燥させる動作モードである。温風乾燥モードにおいて局部洗浄装置３は、ビデ用の洗浄ノズル２０を斜め下方に進出させることで、シャッター１０を下方に回動させて上開き状態にする。その後、局部洗浄装置３は、送風ユニット１４の第１送風機２５及びヒーター２６を駆動させて、吹出口２８から吹き出される温風を臀部に向かう方向に導く。なお、温風乾燥モードにおいて局部洗浄装置３は、送風ユニット１４のイオン発生装置２７、及び脱臭ユニット１５を駆動させない。
【００５１】
鉢内除菌モードは、便鉢４内を除菌する動作モードである。鉢内除菌モードにおいて局部洗浄装置３は、肛門洗浄用の洗浄ノズル１８を斜め下方に進出させることで、シャッター１０を上方に回動させて下開き状態にする。その後、局部洗浄装置３は、送風ユニット１４の第１送風機２５及びイオン発生装置２７を駆動させて、吹出口２８から吹き出されるプラスイオンとマイナスイオンを含む風を便鉢４の内面下方に広がる方向に導く。なお、鉢内除菌モードにおいて局部洗浄装置３は、送風ユニット１４のヒーター２６、及び脱臭ユニット１５を駆動させない。
【００５２】
本実施形態によれば、以下の効果が奏される。
本実施形態に係る局部洗浄装置３は、便器本体２が有する便鉢４の後部に設けられ、便鉢４に望む開口部９を有するケース７と、風が吹き出される吹出口２８を有し、吹出口２８が開口部９からケース７の外側に臨む送風ダクト２４と、開口部９を開閉し、開口部９を閉じた状態においてケース７との間に送風口３８を形成するシャッター１０と、を備え、シャッター１０が開口部９を閉じた状態において送風口３８から便鉢４の内面に沿う方向（第１方向）に風を導く一方で、シャッター１０が開口部９を開いた状態において便鉢４の内面下方に広がる方向（第１方向とは異なる方向）又は臀部に向かう方向（第１方向とは異なる方向）に風を導く。
これにより、シャッター１０によって開閉される開口部９を閉じた状態において、シャッター１０と開口部９の縁との送風口３８から風を導くことができるため、飛沫等が局部洗浄装置３の内部に侵入することを防止又は抑制できる。例えば、立小便のときでも開口部９を閉じたまま便鉢４内の臭気を脱臭できる。
【００５３】
また、本実施形態では、リブ３７は、開口部９の下方で且つ吹出口２８の右側から下方にわたって、開口部９の縁に沿って湾曲するように設けられる。これにより、シャッター１０が開口部９を閉じた状態において、吹出口２８から吹き出された直後の風を、便鉢４の内面に沿った流れとすることができる。即ち、吹き出された風は最初から便鉢４の内面に沿って湾曲した流れとなっているため、便鉢４の内面に衝突する際に生じる風の拡散を低減でき、効率良く便鉢４内を旋回して臭気を抑え込みながら、脱臭ユニットに導いて脱臭することができる。
【００５４】
また、本実施形態では、リブ３７の先端部が、便器本体２の側面視で、下方ほど便鉢４の後方に傾斜している。これにより、吹出口２８から吹き出された風は、上方から下方に向かって便鉢４の内面に沿うようになり、便鉢４内から上方に向かって拡散する臭気をより確実に抑え込みながら、便鉢４内の臭気を脱臭できる。
【００５５】
また、本実施形態では、シャッター１０が開口部９を閉じた状態において、吹出口２８から送風口３８に風を導く遮蔽板３６を備える。これにより、風を効率良く送風口３８側に導くことができ、上述の効果がより確実に奏される。
【００５６】
また、本実施形態では、送風ダクト２４内に設けられた第１送風機２５と、便鉢４内の空気が吸い込まれる吸込口３２を有し、吸込口３２から吸い込んだ便鉢４内の空気を脱臭して便鉢４の外部に導く脱臭ダクト２９と、脱臭ダクト２９内に設けられた第２送風機３０と、第１送風機２５及び第２送風機３０の駆動を制御する制御基板１６と、をさらに備える。そして、制御基板１６により、シャッター１０が開口部９を閉じた状態において第１送風機２５の出力よりも第２送風機３０の出力を大きくする。
従来、送風機が１つの循環式においては送風機の出力を大きくして便鉢内の気流を強くする必要があったところ、本実施形態のようなワンパス式であれば、第１送風機２５の出力が小さい、即ち便鉢４内に流れる風を強くしなくても、第２送風機３０の出力を大きくすることで効率良く便鉢４内の臭気を吸い込むことができる。これにより、使用者が便鉢４内の風を認識し難くなる一方で、高い脱臭性能を確保することができる。
【００５７】
以上、本発明の局部洗浄装置３の好ましい実施形態について説明したが、本発明は、上述した実施形態に制限されるものではなく、適宜変更が可能である。
【符号の説明】
【００５８】
１  大便器
２  便器本体
３  局部洗浄装置（脱臭装置）
４  便鉢
５  便座
６  便蓋
７  ケース
８  ベース
９  開口部
１０  シャッター
１１  カバー
１２  ノズルユニット
１３  温水供給ユニット
１４  送風ユニット
１５  脱臭ユニット
１６  制御基板（制御部）
１７  電源基板
１８，２０  洗浄ノズル
１９，２１  ノズル駆動機構
２２，２３  吐出孔
２４  送風ダクト
２５  第１送風機
２６  ヒーター
２７  イオン発生装置
２８  吹出口
２９  脱臭ダクト
３０  第２送風機
３１  脱臭カートリッジ
３２  吸込口
３３  吹出口
３４  第２のシャッター
３５  リブ
３６  遮蔽板（遮蔽部）
３７  リブ
３８  送風口
１００  タンク
【図１】
2018087451.tif 000003
【図２】
2018087451.tif 000004
【図３Ａ】
2018087451.tif 000005
【図３Ｂ】
2018087451.tif 000006
【図４Ａ】
2018087451.tif 000007
【図４Ｂ】
2018087451.tif 000008
【図４Ｃ】
2018087451.tif 000009
【図５Ａ】
2018087451.tif 000010
【図５Ｂ】
2018087451.tif 000011